(57)【要約】      （修正有）【課題】計量部を備えながら作業性（単位時間当たりの帯掛け処理数）を高めることができる帯掛け装置を提供する。【解決手段】商品を所定位置に載置し、該商品の外周に沿って帯シートを発行し巻き回す帯掛け装置Ａにおいて、商品を帯掛けのために載置する載置部Ｐと、前記載置部Ｐに載置する商品Ｗの重量を計量する計量部Ａ２と、該計量部にて計量された計量値を出力する出力部と、を有し、該計量部Ａ２は前記載置部Ｐとは異なる位置で、且つ前記帯掛けの為に生成される帯シートａの輪と向き合う側に配置した。【選択図】図１
2010149876.tif 000002
【特許請求の範囲】
【請求項１】
商品を所定位置に載置し、該商品の外周に沿って帯シートを発行し巻き回す帯掛け装置において、
商品を帯掛けのために載置する載置部と、
前記載置部に載置する商品の重量を計量する計量部と、
該計量部にて計量された計量値を出力する出力部と、
を有し、該計量部は前記載置部とは異なる位置で、且つ前記帯掛けの為に生成される帯シートの輪と向き合う側に配置されていることを特徴とする帯掛け装置。
【請求項２】
前記計量部は、平面視載置部の側方で、且つ該載置部より下方に配置されていることを特徴とする請求項１記載の帯掛け装置。
【請求項３】
前記載置部は、帯掛け装置を設置する面と同じ面に設置した計量部の上面から該載置部における載置面までの鉛直方向の寸法が、前記載置部における帯掛け可能な鉛直方向の最大寸法より大きいことを特徴とする請求項２記載の帯掛け装置。
【請求項４】
前記出力部は出力される計量値を帯シートに印字する印字手段であり、前記載置部に商品検出センサを設け、
前記載置部に商品が置かれ前記帯シートによる帯掛けサイクル中に、次の商品の為に前記計量部から計量値が出力された時、前記商品検出センサによる商品非検出信号に基づき前記出力された計量値を帯シートへ印字するよう制御することを特徴とする請求項１乃至３の何れか１項記載の帯掛け装置。
【発明の詳細な説明】
【技術分野】
【０００１】
本発明は商品の外周に沿って帯シートを巻き回す帯掛け装置に関し、更に詳しくは商品の重量を計量する計量部を備えた卓上タイプの帯掛け装置に関する。
【背景技術】
【０００２】
結束装置の載置部に、被結束物（商品）の重量を計量する計量部を備えた装置は既に知られている（例えば、特許文献１参照）。
結束装置の載置部に計量部が備わっていると、該計量部に被結束物を載せる作業と、帯掛けのための載置部に被結束物を載せる作業とが一度の作業で済むので、作業効率がよいという利点を有する。
しかしながら、被結束物が載置部に置かれ、計量部の計量信号が安定して計量値が出力されてから帯掛け動作が開始されるので、当該被結束物の帯掛け動作が終わらないと次の被結束物を載置部へ置くことができない。その為に、帯掛けの作業は計量から帯掛け完了までの１サイクルが順次繰り返して行われるもので、その結果、作業性（単位時間当たりの帯掛け処理数）を高めることができないという問題を有していた。
【０００３】
【特許文献１】実開昭５１−１１９５０５号公報
【発明の開示】
【発明が解決しようとする課題】
【０００４】
本発明は上記従来の技術が有する問題点に鑑みてなされたもので、その目的とするところは、計量部を備えながら作業性（単位時間当たりの帯掛け処理数）を高めることができる帯掛け装置を提供する。
【課題を解決するための手段】
【０００５】
上記目的を達成する為に本発明の帯掛け装置は、商品を所定位置に載置し、該商品の外周に沿って帯シートを発行し巻き回す帯掛け装置において、商品を帯掛けのために載置する載置部と、前記載置部に載置する商品の重量を計量する計量部と、該計量部にて計量された計量値を出力する出力部と、を有し、該計量部は前記載置部とは異なる位置で、且つ前記帯掛けの為に生成される帯シートの輪と向き合う位置に配置した構成を特徴とする（請求項１）。
前記計量部は、帯掛け装置と一体型、或いは別体型の何れでもよく、且つ、該計量部は帯掛け装置の設置面、例えば、帯掛け装置が設置されるテーブル面上に設置される。
前記帯シートの輪は、初期ループを形成する環状のガイドを備え、そのガイドに沿って形成する方法、或いは帯シートの端部を手で持って移動して装置の二点間に亘って掛け渡して形成する方法の何れでもよい。
前記出力部としては計量部により計量された重量値を帯シートに印字したり、又、ラベルに印字する印字手段、或いは重量値を表示する表示手段等が挙げられる。
【０００６】
上記手段によれば、計量部が帯掛け装置の載置部とは別の位置に配置されているため、一つの商品の計量後に帯掛けの為に前記商品を載置部に載置した時、計量部は空になり、次の商品を計量部に載置することができる。それにより、帯掛け装置の載置部に商品を載置しての帯掛け動作と、計量部に商品を載せての計量動作を同時に行うことができる。即ち、計量から帯掛け完了までの１サイクルを、一部をオーバーラップさせて作業することができる。従って、作業性（単位時間当たりの帯掛け処理数）を高めることができる。
又、計量部が、帯掛けの為に発行され生成される帯シートの輪と向き合う側に配置されているので、計量部に置かれた商品を載置部に置く場合、商品をスムーズに帯シートの輪の中に位置するように載置部に置くことができるので操作性が良くなる。又、計量部は載置台の高さと略同等の高さ位置に配置されていても、或いは載置台よりも低い位置に配置されていてもよい。つまり、計量部の高さ位置は問わず、シートの輪と向き合う側に計量部が位置していればよい。
【０００７】
又、前記計量部は、帯掛け装置を設置する設置面と同じ面に設置した時、平面視載置部の側方で、且つ計量部の商品載置面が前記載置部より下方となるようにする（請求項２）。
前記載置部の側方とは、載置部を上方から見た時、その載置部の周囲、即ち載置部の横（左側、右側）、或いは前側を意味する。
【０００８】
上記手段によれば、計量部が平面視載置部の側方で、該載置部より下方に計量部の商品載置面が位置するため、計量部上の商品を載置部へ載せ換える作業をスムーズに行うことができる。又、載置部と計量部とが上下方向にズレて段差があるため、載置部の商品と計量部の商品が干渉するのを防止できる。
【０００９】
更に、前記計量部と帯掛け装置を同じ設置面に設置した時、前記載置部は、計量部の上面から該載置部における載置面までの鉛直方向の寸法が、前記載置部における帯掛け可能な鉛直方向の最大寸法より大きくする（請求項３）。
【００１０】
上記手段によれば、計量部の上方を覆うような長尺の商品を帯掛け包装するために載置部に載置し、計量部に帯掛け可能な最大高さ寸法の商品を載せたとしても、載置部の長尺商品と計量部の商品とが高さ方向で接触することはない。従って、帯掛け動作と計量動作の同時作業が中断されることはない。
【００１１】
前記出力部は出力される計量値を帯シートに印字する印字手段であり、前記載置部に商品検出センサを設け、前記載置部に商品が置かれ前記帯シートによる帯掛けサイクル中に、次の商品の為に前記計量部から計量値が出力された時、前記商品検出センサによる商品非検出信号に基づき前記出力された計量値を帯シートへ印字するよう制御することを特徴とする（請求項４）。
【００１２】
上記手段によれば、帯シートによる帯掛けサイクル中に、次の商品の為に前記計量部から計量値が出力された時、前の商品の帯掛けが終了し、載置部から商品が取り除かれたら直ちに出力された計量値に基づく印字が行われるので、載置部から商品が取り除かれてから、計量安定を待つ必要がないので、連続した作業において計量安定時間を前の帯掛け包装時間に組み入れることができるので、処理効率を高めることができる。
【発明の効果】
【００１３】
本発明の帯掛け装置は請求項１記載の構成により、帯掛け装置の載置部に商品を載置しての帯掛け動作と、計量部に商品を載せての計量動作を同時に行うことができる。即ち、計量から帯掛け完了までの１サイクルを、一部をオーバーラップさせて作業することができる。従って、作業性（単位時間当たりの帯掛け処理数）を高めることができる。又、計量部が帯掛けの為に発行され生成される帯シートの輪と向き合う側に配置されているので、計量部に置かれた商品を載置部に置く場合、商品をスムーズに、帯シートの輪の中に位置するように載置部に置くことができるので操作性が良くなる。
又、請求項２記載の構成により、計量部上の商品を載置部へ載せ換える作業をスムーズに行うことができると共に、載置部と計量部とが上下方向にズレて段差があるため、載置部の商品と計量部の商品が干渉するのを防止できる。
【００１４】
更に、請求項３記載の構成により、計量部の上方を覆うような長尺の商品を帯掛け包装するために載置部に載置し、計量部に帯掛け可能な最大高さ寸法の商品を載せたとしても、載置部の長尺商品と計量部の商品とが高さ方向で接触することはない。従って、帯掛け動作と計量動作の同時作業が中断されることはない。
又、請求項４記載の構成により、帯シートによる帯掛けサイクル中に、次の商品の為に前記計量部から計量値が出力された時、前の商品の帯掛けが終了し、載置部から商品が取り除かれたら直ちに出力された計量値に基づく印字が行われるので、載置部から商品が取り除かれてから、計量安定を待つ必要がないので、連続した作業において計量安定時間を前の帯掛け包装時間に組み入れることができるので、処理効率を高めることができる。
【発明を実施するための最良の形態】
【００１５】
以下、本発明に係る帯掛け装置の実施の形態を図面に基づいて説明する。
図１乃至図２は帯掛け装置Ａの概略を示し、該装置は商品Ｗの周りに帯シートａを巻き回す帯掛け装置本体Ａ１と、帯掛けする商品Ｗの重量を計量する計量部Ａ２とで構成され、それぞれが作業台上（テーブル等）に配置され、オペレータＯと対面するように配置されている。そして、前記計量部Ａ２は帯掛け装置Ａの商品を載置して帯掛けする載置部とは異なる位置で、且つ帯掛けの為に発行され、帯掛けの為に生成される帯シートの輪と向き合う側に設置され、帯掛け装置Ａと通信可能に接続されており、商品Ｗの重量を計量して、その重量値や該重量値に基づく値段を帯シートａに印字するタイプを図示する。
このように計量部Ａ２が帯シートの輪と向き合う側に位置しているので、商品を計量部から持ち上げながら装置斜め後方向へ商品を移動させるだけで、載置部に商品を配置させることができるので、スムーズに商品を計量部から載置部へ移動させることができる。
【００１６】
帯掛け装置本体Ａ１は、図３乃至図５に示すように、被帯掛け商品Ｗの周りに帯シートａを周回させるための初期ループを形成する環状のガイド１と、そのガイド１の側方に配置した帯シートロールａ’の収納部２と、前記帯シートａにバーコード印字用のラベル用紙ｂを貼付するラベル貼付部３と、前記帯シートａに貼付されたラベル用紙ｂ及び帯シートａに商品情報を印字する印字手段４（出力部）と、商品情報が印字された帯シートａを前記環状のガイド１内面に沿って繰り出し及び引き戻すフィード手段５と、初期ループ状態から帯シートａの後端側を引き戻して商品Ｗの外周に沿うループ形状に縮径して帯シートａの先端部と重合部を熱溶着する接着手段６と帯シートａを切断するカッタ７、及びこれら接着手段６とカッタ７を上下駆動する駆動部８と、更に商品情報等が表示される表示操作部９（出力部）と、キー操作部１０とで構成されている。
被帯掛け商品Ｗは、蓋付きトレイ内に商品が収納され蓋が閉まった、例えば弁当やお刺身の盛り合わせ等が考えられるが、蓋付きのトレイばかりでなく、蓋が無いトレイ内に商品が収納され、その上に商品とトレイを覆うように紙などが被せられた商品に帯掛け包装する場合でもよい。また、蓋はトレイと結合した一体的なものだけでなく、トレイと蓋とが別体のものでもよい。
【００１７】
上記環状のガイド１は、被帯掛け商品Ｗの出し入れに供する正面略長方形状の窓孔１１を開設した前後一対の側板１ａ，１ｂと、その前後の側板１ａ，１ｂを帯シートａのテープ幅よりやや広い間隔を置いて対峙させ、且つ前記窓孔１１の開口縁より所定寸法外側に入った位置に沿って周方向に回した底板１ｃとで構成され、底板１ｃの表面が帯シートａの案内面として作用する。そして、底板１ｃは窓孔の孔縁に沿わせて略楕円形状に湾曲形成され、繰り出される帯シートａがスムーズに案内されて初期ループを確実に形成できるように構成されている。そして、底板１ｃは繰り出された帯シートａの先端と帯シートロールａ’に連続する部分が重なってループを形成できるように該底板１ｃに開設した開口１２を挟む始端と終端は上下方向にずらして取り付けられており、更に底板１ｃの始端側の上方における側板１ａ，１ｂの内面にはストッパ１３が取り付けられ、帯シートａの先端が位置決めされるように構成されている。
そして、上記ガイド１の窓孔１１の下側孔縁は被帯掛け商品Ｗの載置部Ｐとして機能する。尚、前後の側板に開設する窓孔の形状は長方形状に限定されず、商品の出し入れに支障とならなければ形状は任意である。更に、前記ガイド１の前後には窓孔１１の下側孔縁と面一にカバー兼テーブル６５が取り付けられて、長尺の商品でも安定して窓孔１１内に載置し得るように構成されている。
【００１８】
前記ガイド１の側方に配置した帯シートロールａ’の収納部２は、帯掛けの材料となるテープ状の帯シートがロール状に巻かれた帯シートロールａ’を収納装填する場所で、中央には帯シートを前記ガイドに向けて繰り出す方向には自由回転し、逆方向には帯シートロールを一体化して駆動回転する一方向クラッチ内蔵の回転軸１４が取り付けられており、その回転軸１４はモータ１５で駆動するように構成されている。この帯シートロールａ’がモータ１５で逆回転されることで、後述するフィード部５の逆回転による帯シートの引き戻し分を帯シートロールａ’に巻き取られる。又、この収納部２の前面には開閉自在な扉２’が取り付けられ、帯シートにゴミや埃などが付着しないように構成されている。尚、回転軸１４には帯シートが引き出される方向の回転に対して過剰回転を防止する摩擦板ブレーキ構造１６が装備されている。
【００１９】
上記収納部２に収納装填された帯シートロールａ’の帯シートａ先端部は本体ケースに取り付けたガイドローラ１７及びガイド板１７’を径由してフィード部５に供給され、そのフィード部５の作動で帯シートａは前記ガイド１内側に繰り出される。そして、前記ガイド板１７’の途中にはラベル貼付部３が配置され、そのラベル貼付部３より下流側でフィード部５より上流側にはラベル用紙が貼付された帯シートに印字を行う印字手段４（印字部）が配置されている。
【００２０】
ラベル貼付部３は、ロール状に巻いた台紙ｂ’の外側にラベル用紙ｂを剥離可能に貼付したラベルロールｂ”と、台紙巻取りリール１８と、台紙ｂ’からラベル用紙ｂを剥離するディスペンサ１９と、そのディスペンサ１９より下流側に台紙ｂ’から剥離したラベル用紙ｂを帯シートａに対して貼付するために押え付ける押え部材２０が配置されて構成され、前記台紙巻取りリール１８がモータ２１で駆動回転されることで、ラベルロールｂ”からラベル用紙ｂを貼着した台紙ｂ’が引き出されるように構成されている。
【００２１】
ラベル用紙ｂが貼付された帯シートａに商品情報を印字する印字手段４は、インクリボン２２と、サーマルヘッド２３と、プラテンローラ２４と、前記プラテンローラ２４を駆動回転させるステッピングモータ２５と、同プラテンローラ２４を上下移動させる移動機構２６とで構成され、前記サーマルヘッド２３とプラテンローラ２４とは対向して配置されている。これにより、帯シートａに商品に関する所定項目が印字され、ラベル用紙ｂにＪＡＮコード（バーコード）が印字される。尚、帯シートａ及びラベル用紙ｂへの印字は、帯シートａの先端からの長さによって管理制御される。この点については後段で説明する。
【００２２】
又、上記帯シートへの印字手段４におけるプラテンローラ２４は、断面略コ字型に形成したプラテンローラ支持枠２７の一側に回転自在に横架支持され、そのプラテンローラ支持枠２７の他端側はフレーム２８に軸２９で上下回動可能に支持されており、更に前記プラテンローラ支持枠２７内に支持されたプラテンローラ２４の軸部はフレームに開設した円弧案内孔３０に嵌挿され、軸２９を中心としたプラテンローラ２４の上下動が円弧案内孔３０によって案内されるように構成されている。
そして、プラテンローラ２４をサーマルヘッド２３に対して接離させる移動機構２６は、前記フレーム２８に横架した軸３１に前記プラテンローラ支持枠２７を下方に押し下げる押圧片３２を固着し、軸３１の回転による押圧片３２の下向き回動で前記プラテンローラ支持枠２７が軸２９を中心として下方に押し下げられることでプラテンローラ２４がサーマルヘッド２３に押し付けられる。そして、前記押圧片３２を軸着した軸３１の回転は、モータ３３の回転軸と該軸３１とを複数のリンク片３４で連結し、モータ３３の回転が軸３１に伝達されるように構成されている。
【００２３】
又、前記押圧片３２を固着した軸３１の端部にはプラテンローラ２４がサーマルヘッド２３に対する接離（開閉）を検出するフラグ３５が取り付けられており、そのフラグ３５の回動軌跡上にセンサ３６，３６’が配置されている。更に、プラテンローラ２４をサーマルヘッド２３に対して当接させる動作は前記したモータ３３の回転により行われるが、プラテンローラ２４をサーマルヘッド２３から離反させる動作は、前記プラテンローラ支持枠２７とフレーム２８とに亘って引張りバネ３７を張設し、この引張りバネ３７の張力でプラテンローラ支持枠２７が上方に引き上げられ、プラテンローラ２４がサーマルヘッド２３から離反される。プラテンローラ２４の離反は、前記モータ３３の回転により押圧片３２がプラテンローラ支持枠２７から離れる上向き方向に回動された時、前記引張りバネ３７が機能して行われる。
尚、押圧片３２を固着した軸３１の前面側端部には操作レバー３８が取り付けられ、手動操作で押圧片３２によるプラテンローラ支持枠２７の押圧を解除できるように構成されている。
【００２４】
上記印字手段４で所定事項（品名、重量、単価、値段等）の印字Ｐが行われた帯シートａをガイド１側に供給するフィード手段５は、上下一対のフィードローラ５ａ，５ｂで構成され、下側のフィードローラ５ｂは定位置に支持され、上側のフィードローラ５ａは下側のフィードローラ５ｂに対して接離するよう上下回動可能に支持されている。
そして、下側のフィードローラ５ｂはモータ５ｃによって駆動回転するように構成され、上側のフィードローラ５ａは前記印字部４におけるプラテンローラ２４の上下動（接離動）に連繋して下側のフィードローラ５ｂに対する接近／離反が切り換わるように構成されている。即ち、印字手段４のプラテンローラ２４がサーマルヘッド２３に接近する印字状態時は上側のフィードローラ５ａは下側のフィードローラ５ｂから離反し、印字手段４のプラテンローラ２４がサーマルヘッド２３から離反する時は上側のフィードローラ５ａは下側のフィードローラ５ｂと接触するように構成されている。
この上側のフィードローラ５ａが下側のフィードローラ５ｂと接触し、上下のフィードローラ５ａ，５ｂによって帯シートａが挾着され、下側のフィードローラ５ｂが正転方向（時計回り方向）に駆動回転することで帯シートａはガイド１に向けて送り出され、逆転方向（反時計回り方向）に駆動回転することで帯シート１は引き戻される。
【００２５】
上側のフィードローラ５ａは、矩形状の枠体３９に回転可能に横架支持され、その枠体３９はフレーム２８に対し軸４０で上下回動可能に軸支されている。枠体３９の回動支点となる軸４０の位置は、上側のフィードローラ５ａが下方に回動して下側のフィードローラ５ｂと接触する接点が下側のフィードローラの軸芯を通る鉛直線上となる位置とする。
そして、この前記枠体３９は、該枠体３９の側近でフレーム２８に回動自在に軸支した押圧カム４１によって下方に回動されるように構成されている。
上記押圧カム４１の回動は、前記印字手段４における押圧片３２を固着した軸３１と押圧カム４１とをリンク４２で連結し、軸３１の回動により押圧カム４１がリンク４２を介して揺動されるように構成されている（図６、図７参照）。尚、上側のフィードローラ５ａを保持した枠体３９の上方への回動（フィードローラの離反）は、前記押圧カム４１による枠体３９の押圧が解除された時、付勢手段６４によって軸４０を中心として上方に回動することで離反される。
【００２６】
上記フィード手段５の下流側で前記ガイドの下側位置には、前記ガイド１内に供給した帯シートａを該ガイド１の内面に沿って案内し、初期ループを形成し、その後ガイド内に載置した商品Ｗの外周面に沿うように初期ループを絞って縮径し、帯シートａの先端部と重なり合う部分を熱溶着する接着手段６と、帯シートロールａ’に繋がる帯シートａを切断するカッタ７、及びこれら接着手段６とカッタ７を上下駆動する駆動部８が配置されている。
【００２７】
上記接着手段６は、前記ガイド１の窓孔１１における下側の底板１ｃの開口１２内に、帯シートの繰り出し方向に向かい所定間隔をおいて鉛直に起立配置した第１押え板４３，第２押え板４４と、その第１押え板４３と第２押え板４４との間に配置した熱溶着板４５と、これら第１押え板４３、第２押え板４４及び熱溶着板４５の真上位置にガイド１の側方から出没自在に配置した受け板４６とで構成されている。
そして、前記フィード手段５寄りに配置した第１押え板４３には上端面より僅か下方位置に帯シートａが嵌挿される通孔４７が開設されており、フィード手段５の作動で繰り出される帯シートａの先端はこの通孔４７を通ってガイド１に供給される。その為に、第１押え板４３より下流側に配置される第２押え板４４の上端は前記第１押え板４３の通孔４７の下側孔縁と面一か或いは下側孔縁より下方となるように配置されている。
又、第１押え板４３と第２押え板４４との間に配置する熱溶着板４５は、第１押え板４３と第２押え板４４で帯シートａを押えた後熱溶着する為、該熱溶着板４５の上端は第２押え板４４の上端より下方に位置されている。
【００２８】
前記第１押え板４３と熱溶着板４５の上端面を受け止める受け板４６は、前記ガイド１の側方（裏側）に該ガイドと直交して配置され、且つその受け板４６の上面はガイド１の窓孔１１の下側孔縁と面一に保持され、ガイド１内に突出して商品載置面を形成する。そして、この受け板４６とガイド１の底板１ｃとで区画される通路（空間）に帯シートａの先端部が嵌入し、その帯シートａの先端部は前記開口１２より下流側における側板１ａ，１ｂの内面に突出形成したストッパ１３に衝合して先端の位置決めが行われる。
【００２９】
カッタ７は、帯シートａの重合部を熱溶着してループを完成させた後、そのループに連続する帯シートを溶着部近傍で切断するもので、前記第１押え板４３と熱溶着板４５との間に挾着配置され、且つ前記第１押え板４３の側面に沿って該第１押え板４３の通孔４７を越える位置まで上下することで、該通孔４７を貫通している帯シートａは第１押え板４３の通孔４７の孔縁とカッタ７によるせん断作用で切断されるように構成されている。但し、重合部近傍を前記せん断作用にて切断して、第１押え板４３にて帯シートを押えておき、その後、熱溶着板４５にて溶着するようにしてもよい。
【００３０】
上記した接着手段６とカッタ７を上下駆動する駆動部８は、モータ４８とカム機構４９とで構成され、カム機構４９はカムやリンク機構を前記第１押え板４３、第２押え板４４、熱溶着板４５、カッタ７に連結し、更に前記第１押え板４３、第２押え板４４、熱溶着板４５とカッタ７が順次時間差をおいて上下作動するように構成されている。そして、カム機構４９の動作を制御する為に該カムを回転する軸に回転板５１を固着し、回転板５１の外周所定箇所に設けた原点をカム原点センサ５２で検知し、駆動部８が制御されるようになっている。
【００３１】
又、前記ガイド１の帯シートａの先端が位置決め停止される位置より手前側（上流側）の所定位置には、帯掛けする為に供給される帯シートａの先端部が所定位置に到達したことを検出する帯シート先端検出センサ（停止センサ）５３が配置されている。この帯シート先端検出センサ５３の検出信号により前記帯シートａを繰り出すフィード手段５の駆動が停止され、再度駆動して帯シートａの先端がストッパに当接するまでの繰り出しが制御されている。
更に、前記ガイド１における商品Ｗが載置される位置の線上外側には、商品検出センサ５４が設置され、ガイド１内の所定位置に商品Ｗが置かれているか否かが検出されるようになっており、商品Ｗが検出されると前記フィード手段５が起動し、帯シートａの引き戻しを開始するようになっている。また、商品検出センサ５４がガイド１内の所定位置に商品Ｗが置かれていないことを検出した場合、前記印字手段４による帯シートａへの印字が開始されるように構成されている。
【００３２】
計量部Ａ２は、帯掛けする商品Ｗの重量を計量するもので、今日周知のロードセルを用いて薄型箱形状に構成され、前記帯掛け装置本体Ａ１の制御装置と通信可能に接続され、計量部Ａ２で計量した計量値が制御装置に送信され、その計量値に基づいて商品の値段等が算出され、前記帯シートａに他の商品情報と一緒に印字される。
そして、前記計量部Ａ２は表面（計量皿表面）が、前記帯掛け装置本体Ａ１のガイド１の略中心線と平行で、且つ水平に設置されている。具体的には、図１及び図２に示すように、帯掛け装置本体Ａ１のガイド１に形成された窓孔１１と対向する手前側の下方に設置されている。
また、計量部Ａ２は、前記帯掛け装置本体Ａ１の設置面と同じ面に設置した時、該計量部Ａ２の表面（計量皿表面）から帯掛け装置本体Ａ１のガイド１における窓孔１１の下側孔縁（載置部）までの鉛直方向の寸法（Ｌ１）が、前記帯掛け装置本体Ａ１の帯掛け可能な鉛直方向の最大寸法（Ｌ２）より大きくなるように構成されている。尚、図示の実施例においてはガイド１の窓孔１１の鉛直方向の寸法が帯掛け可能な鉛直方向の最大寸法（Ｌ２）に相当する。
【００３３】
図８は、上記の如く構成した帯掛け装置本体Ａ１の帯掛けの作動を制御する制御部と、帯掛けの帯シートａ（帯シート＋ラベル用紙ｂ）に印字を行う印字手段４、及び計量部Ａ２の電気的構成を示すブロック図である。
帯掛制御部５５は、通信用ＩＮＦを介して印字制御部５６と接続され相互に交信できるようにしてあり、各制御部５５，５６は、マイクロコンピュータで構成されるＣＰＵ（中央処理装置）５７，６１により制御される。
ＣＰＵ５７には、バス５７ａを介してＲＯＭ５８、ＲＡＭ５９、帯掛機構駆動部６０、帯シート先端検出センサ（停止センサ）５３、商品検出センサ５４、カム原点センサ５２、ラベル貼付部（ラベル発行部）３が接続されている。
ＲＯＭ５８は、ＣＰＵ５７が実行する制御プログラムが格納されており、ＲＡＭ５９はＣＰＵ５７とＣＰＵ６１との通信データ等を一時記憶するエリアである。
【００３４】
前記帯掛機構駆動部６０としては、接着手段６の熱溶着板４５への通電のＯＮ／ＯＦＦ、プラテンローラ２２及び上側フィードローラ５ａの開閉駆動モータ３３、下側フィードローラ５ｂの駆動用モータ５ｃ、帯シート巻取り駆動用モータ１５、溶着切断手段６及びカッタ７の上下駆動用モータ４８、プラテンローラ駆動用モータ２５が挙げられ、これ等の駆動／停止が制御される（図８参照）。
【００３５】
印字制御部５６のＣＰＵ６１には、バス６１ａを介してＲＯＭ６２、ＲＡＭ６３、表示操作部９、キー操作部１０、印字手段４、計量部Ａ２が接続されている。
ＲＯＭ６２は、ＣＰＵ６１が実行する制御プログラムが格納されており、ＲＡＭ６３には被帯掛け商品毎の品名等の商品情報を記憶しておく商品ファイル（図９参照）、トレイに関する各種データを記憶しておくトレイファイル（図１０参照）、帯掛けの帯シート（ラベルを含む）に商品に関する所定の項目を印字する為の印字位置情報を記憶しておく帯シート印字フォーマットファイル（図１１参照）などのファイルが記憶されている。
表示操作部９は、タッチパネルで構成されており、ＣＰＵ６１の指令に基づいて入力データの表示、プリセットデータの表示、各種メッセージの表示を行うものである。
キー操作部１０は、データの入力等を行う数字キーや品番キー等を含むキーボードからなり、商品はこの数字キーと品番キーを押すことで特定され、前記商品ファイルに設定されている商品データが呼び出される。
印字手段４は、帯シートａ（帯シートに貼付されたラベル用紙を含む）にサーマルヘッドにより印字を行う。
計量部Ａ２は、ロードセル（ひずみゲージ式）を用いて構成されている。そして、この計量部Ａ２を使用する／使用しない、を選択するモードを後述の設定モードに設けて、計量部Ａ２を使用するモードを選択した場合には、該計量部Ａ２から出力される計量データをＲＡＭの計量データの欄に書き込むようにする。
【００３６】
前記ＲＡＭ６３に記憶される商品ファイルは、図９に示すように、品番（商品番号）、品名、単価、トレイ番号、帯シート印字フォーマット番号等が設けられており、品番を特定することで、被帯掛け商品Ｗを特定することができる。
また、商品ファイルの各被帯掛け商品（各品番）毎に、後述する帯シート印字フォーマット番号が識別子として関連付けられて記憶してあるので、被帯掛け商品を特定することで各印字項目のレイアウトである印字フォーマットも特定できる。同様に、トレイを特定する為のトレイ番号が識別子として関連付けられて記憶されている。
前記帯シート印字フォーマット番号は、帯シートａ上での各印字項目の印字位置や文字の大きさ等を規定する。
計量値（重量）を印字する場合は、予め計量値を印字する印字エリアを帯シート印字フォーマットとして設定しておく必要がある。
【００３７】
叉、トレイファイルは、図１０に示すように、トレイ番号毎にトレイサイズ（幅、高さ）（ｍｍ）、及び帯シートで形成した初期ループを商品の外周に沿う形状に絞り縮径するための絞り情報（帯シートの引き戻し量、トレイの硬度）等のトレイデータが設けられており、トレイ番号を被帯掛け商品に設定することで、その特定した商品を帯掛けする際の引き戻し量を特定することができ、安定した帯掛けが可能となる。
叉、帯シートの引き戻し量などが設定されている絞り情報ファイル（図示省略）をＲＡＭ６３に有し、該ファイル中の絞り情報を識別するための識別子が、各トレイ番号に割振られている。
【００３８】
帯シート印字フォーマットファイルは、図１１に示すように印字項目毎に印字するレイアウトが設定されているもので、印字フォーマット番号（識別子）毎に、印字開始、印字項目（品名、重量、単価、値段等）毎の印字位置等の印字位置情報が設定されており、印字開始は帯シートの先端からの距離（ｍｍ）を示し、印字位置として帯シートの幅方向の一方端を原点Ｏ（０，０）とし、その原点から幅方向（Ｘ）、及び長手方向（Ｙ）を始点として、その始点から幅方向（印字領域Ｘ幅）と、長手方向（印字領域Ｙ幅）が設定されており、これにより各印字エリアが設定される。尚、ＪＡＮコード（バーコード）が帯シートにラベル用紙を貼付して印字する場合、ＪＡＮコードの印字位置データがラベル用紙が貼着された位置と一致するよう貼付部を駆動する。
上記のように、前記商品ファイルに帯シート印字フォーマット番号を関連付けることで、各被帯掛け商品、品番を選択するだけで、被帯掛け商品に合わせて帯シートの所定の位置に印字をすることができる。
また、各被帯掛け商品に帯シート印字フォーマット番号を関連付ける代わりに、各トレイ番号を関連付けるようにしてもよい。
【００３９】
次に、計量部Ａ２の計量値（重量）を帯シートに印字し、その印字した帯シートで商品に帯掛けする動作の概略を図１３のフローチャートに基づいて、同一商品を連続して帯掛けする場合について説明する。尚、以下の例では各商品に、印字位置情報の識別子である帯シート印字フォーマット番号が設定されており、商品が特定されることで、当該商品の品名、重量、単価、値段等の商品情報の印字位置情報が読み出される。
（Ｓ１）…オペレータの操作により電源スイッチがＯＮされると、ＣＰＵ５７は接着手段６とカッタ部７を上下するカム機構４９のカムが初期位置（カム原点センサ５２を遮る）に戻るよう制御する。
（Ｓ２）…フィード部５を駆動するキーが、オペレータにより押下されると、ＣＰＵ５７によりフィードローラモータ５ｃを作動させ、帯シートａの先端を所定位置まで繰り出し、駆動部８が作動してカム機構４９が作動することでカッタ７が上昇し、受け板４６がカッタ７の上方位置へ突出移動し、受け板４６とカッタ７とで帯シートａが挟まれ、帯シートａが切断される。そして、ＣＰＵ５７はフィードローラモータ５ｃを逆回転させ、前記帯シートａの切断先端部をフィード手段５の上下一対のフィードローラの接点間に帯シートａの先端が挟まれる位置へ引き戻し、位置させる（リセット手段）（図６、７参照）。この位置が帯シートａの初期位置である。尚、印字手段４のサーマルヘッドとプラテンローラとの接点からフィード手段５上の初期位置までの距離は装置構成時に決定され、本実施例では、この距離が４０ｍｍとする。
【００４０】
（Ｓ３）…オペレータによる表示操作部９での選択操作により被帯掛け商品の品番が特定され、当該商品の商品情報、つまり、品名や値段、トレイ番号、帯シート印字フォーマット番号等が商品ファイル（図９参照）から読み出され、ＲＡＭ６３の所定エリアの夫々の欄に記憶される。そして、それらの情報に基づき必要な情報が表示操作部９に表示される。
（Ｓ４）…被帯掛け商品Ｗを計量部Ａ２に載置する。
（Ｓ５）…計量が安定した時点で計量値が計量部Ａ２から出力され、重量が安定している
間、計量値が出力され続けられる。
ＲＡＭ６３の計量データ欄に一時記憶される。
（Ｓ６）…載置部に商品があるか否かが商品検出センサによって判断され、載置部に商品が存在しないと判断された場合（NO）はＳ７に進み、載置部に商品が存在すると判断された場合（YES）は商品が存在しないと判断されるまでＳ６の判断を繰り返す。つまり、YESの場合は未だ帯掛け包装中か、或いは帯掛けは終了しているが帯掛けされた商品が載置部から取り除かれていない状態を意味し、前の商品が載置部から取り除かれたら帯シートが印字発行される。
【００４１】
（Ｓ７）…Ｓ３で一時記憶された品番の商品情報、印字位置情報、絞り情報等を含むトレイデータや、Ｓ５で出力された計量値をＲＡＭ６３の計量データ欄に一時記憶し、該記憶された計量値や、前記商品情報等に基づき、帯シートに印字を開始する。そして、印字開始位置については一時記憶された印字位置情報の印字開始データが４０ｍｍか否かをＣＰＵ６１が判断する。印字開始データが４０ｍｍの場合、前記初期位置にて、印字位置情報に基づいて印字を開始する。
印字開始データが４０ｍｍでないと判断された場合は、一時記憶された印字位置情報の、印字開始データと初期位置である４０ｍｍとの差分データと、絞り情報を含むトレイデータと、更にプラテン／フィードローラ開閉駆動モータ３３を駆動させプラテンローラをサーマルヘッドから離反させる信号とを、通信ＩＮＦを介してＣＰＵ６１（印字制御部）からＣＰＵ５７（帯掛制御部）へ送信する。つまり４０ｍｍ以上（本実施例では４０ｍｍが最小値）と判断された場合は、印字手段４のプラテンローラがサーマルヘッドから離反するよう上昇し、フィード部５の上側のフィードローラ５ａを下降させて下側のフィードローラ５ｂとで帯シートａを挟持させ、帯掛制御部側で受信した印字開始データと４０ｍｍとの差分データ分だけ、フィード部５のフィードローラモータ５ｃを回転させる。例えば、印字開始データが６０ｍｍである場合は、フィードローラモータ５ｃの駆動で初期位置から２０ｍｍだけ繰り出す。印字開始位置に到達後、一時記憶された商品情報を、該一時記憶された印字位置情報に基づいて印字手段４にて印字を開始する。帯シートに対する各印字項目（品名、重量、単価、値段等）の印字位置は、例えば、印字開始データが４０ｍｍである場合、図１２に示す通りである。
【００４２】
（Ｓ８）…重量値を含む商品情報の印字が終了すると、帯掛け包装に必要な長さ繰り出され、ガイド１の内面に沿って初期ループを形成し、待機する。即ち、印字が終了すると、通信ＩＮＦを介してＣＰＵ６１（印字制御部）からＣＰＵ５７（包装制御部）へ絞り情報を含むトレイデータ等を送信し、プラテンローラをサーマルヘッドから離反させる一方、フィード手段５で帯シートａを挟持する。ＣＰＵ５７の制御により、フィードローラモータ５ｃが駆動し、挟持した帯シートａが所定量繰り出される。
（Ｓ９）…帯シートａの初期ループを備えたガイド１内の載置部に商品Ｗを載置する。載置部に載せる商品は計量部Ａ２に載せて重量を計量した商品で、計量部から計量済みの商品を帯掛け装置本体Ａ１の載置部に載置することで、該計量部Ａ２の商品載せ部（計量皿）は空になり、次に帯掛け包装する商品の計量が可能となる。
（Ｓ１０）…商品Ｗの載置が商品検出センサ５４に検出されると、前記一時記憶された絞り情報に基づいて帯シートａの初期ループを商品の外周に沿う形状に縮径し、帯掛け包装を完了する。帯掛けした商品は、例えば図１４に示す通りである。
（Ｓ１１）…帯掛け包装された商品が載置部から取り除かれることで商品検出センサ５４は非検出となり、一帯掛け包装サイクルが終了する。つまり、計量部Ａ２に商品が置かれることで帯掛け包装サイクルが開始し、帯掛けが終了し、商品が載置部から取り除かれたという商品検出センサ５４の非検出信号に基づき一帯掛け包装サイクルが終了する。そして、（Ｓ７）で一時記憶した計量値をクリアする。
（Ｓ１２）…次の商品が計量部へ載置されたかを判断し、商品が計量部へ載置された場合（YES）はＳ５へ戻り、商品が計量部に載置されていないと判断された場合（NO）は終了とする。
【００４３】
上記構成とした帯掛け装置は、に帯掛け包装を行う載置部とは別の位置に計量部が位置されるので、一つの商品の計量後に帯掛けのための載置部に前記商品を移した時、計量部は空になり、次に帯掛け包装する同一の商品情報を有する商品を載せて計量することが可能となる。即ち、帯掛け包装時に、計量部では次に帯掛け包装する商品の計量を同時に行うことができるため、次の商品の計量安定時間を前の帯掛け包装サイクルに入れることができるので、前の商品の帯掛け包装が終了すると計量安定時間を待たずに直ちに次の計量値等の商品情報を印字することができる。即ち、単位時間当たりの帯掛け包装の処理数を従来装置に比べて高めることができる。また、図示の実施例に示すように、帯掛けする帯シートの輪（初期ループ）と向き合い、該シートの輪の略中心線の下方に計量部を位置させた場合、計量部に置かれた商品をそのまま平行移動するように計量部上から載置部へ載せ換えすることができるので、商品の載せ換えをスムーズに行うことができ、帯掛け包装の作業性を向上できる。
そして、帯掛け装置本体Ａ１と計量部Ａ２を同じテーブル上に設置した時、帯掛け装置本体Ａ１の帯掛け包装を行う載置部に対して、重量を計量する計量部Ａ２は下方に段差を設けて配置されるので、載置部の商品が長尺の商品であっても、計量部に載置された商品と干渉（接触）することは無い。
【００４４】
本発明の帯掛け装置は図示した実施の形態に限定されるものではなく、本発明の要旨を変更しない範囲で適宜変更可能である。
（１）実施の形態では、帯掛けのために帯シートの輪（初期ループ）を形成するガイドを備えた帯掛け装置を示したが、ガイドがなく帯シートの端部を手で装置に差し込んでループを形成するタイプの帯掛け装置でもよい。
（２）実施の形態では、計量部は帯掛け装置本体と別体型を示したが、帯掛け装置本体と一体型であってもよい。
（３）実施の形態では、商品情報を帯シート（帯シートに貼付するラベルを含む）に印字して帯掛け包装する帯掛け装置を示したが、帯シートとは別に商品に貼付するラベルを発行する機能を備えた帯掛け装置であってもよい。
（４）実施の形態では、図１のようにオペレータＯが帯掛け装置の手前側に対向位置した例であり、該帯掛け装置本体が有する帯シートの輪（ガイド内に形成される初期ループ）の略中心線はオペレータと対向する位置に配置されているが、オペレータの位置は図１における装置の右側に位置するようにしてもよい。つまり、その帯シートの輪と向き合う側に計量部が配置されていればよく、装置に対するオペレータの立ち位置は問わない。
（５）上記実施の形態のフローチャートの（Ｓ６）において、商品検出センサにより商品があると検出した場合にも、その計量値を一時記憶し、商品検出センサにより商品が無いと判断された場合には、該一時記憶された計量値に基づき帯シートへ印字するようにしてもよい。また、その一時記憶する場所は、ＲＡＭ６３でもよいし、計量部に設けてもよい。
（６）上記実施の形態では、計量部Ａ２が装置手前で載置部Ｐより下方に位置している実施例にて説明したが、計量部Ａ２と載置部Ｐとが略同じ高さに位置していてもよい。この場合であっても、帯シートの輪と向き合う側に計量部Ａ２が備わっており、計量部Ａ２と載置部Ｐとが略同じ高さの位置なので、計量部Ａ２に載置された商品を略平行移動すれば、商品を載置部Ｐに位置させることができるのでより操作性が良くなる。
（７）上記フローチャートのＳ２でフィードキーを押す例を示したがこれに限らず、フィードキーを押さずにＳ１で電源が投入されたら帯シートを初期位置に位置させるようにしてもよい。
【図面の簡単な説明】
【００４５】
【図１】本発明に係る帯掛け装置の実施の一例を示す外観斜視図。
【図２】同側面図。
【図３】帯掛け装置本体の内部機構部を示す概略正面図。
【図４】同機構部の概略を示す平面図。
【図５】同機構部の概略を示す側面図。
【図６】帯シートを切断して引き戻す状態を示す説明図。
【図７】帯シートが初期位置にセットされ、印字を開始する状態の同説明図。
【図８】帯掛制御部と印字制御部の電気的構成を示すブロック図。
【図９】商品ファイルの一例を示す説明図。
【図１０】トレイファイルの一例を示す説明図。
【図１１】帯シート印字フォーマットファイルの一例を示す説明図。
【図１２】帯シートに印字する印字項目の位置関係の一例を示す説明図。
【図１３】計量、印字、及び帯掛け動作を示すフローチャート図。
【図１４】帯掛け包装を完成した商品の斜視図。
【符号の説明】
【００４６】
Ａ…帯掛け装置                    Ａ１…帯掛け装置本体
Ａ２…計量部                          Ｗ…商品
Ｐ…載置部                          ａ…帯シート
４…印字手段（出力部）              ５…フィード手段
５４…商品検出センサ
【図１】
2010149876.tif 000003
【図２】
2010149876.tif 000004
【図３】
2010149876.tif 000005
【図４】
2010149876.tif 000006
【図５】
2010149876.tif 000007
【図６】
2010149876.tif 000008
【図７】
2010149876.tif 000009
【図８】
2010149876.tif 000010
【図９】
2010149876.tif 000011
【図１０】
2010149876.tif 000012
【図１１】
2010149876.tif 000013
【図１２】
2010149876.tif 000014
【図１３】
2010149876.tif 000015
【図１４】
2010149876.tif 000016